(57)【要約】      （修正有）【課題】異常原因を突き止めることができ、現場に行かずとも異常原因を解明できる水質計測システムの提供。【解決手段】検水を計量する第１計量部１０と、試薬を計量する第２計量部１１と、前記第１計量部で計量された検水及び前記第２計量部で計量された試薬を混合して反応させる反応部１２と、前記反応部での反応結果に基づいて、前記検水に含まれる特定化学物質量を計測する計測部１３と、前記第１計量部、前記第２計量部、前記反応部及び前記計測部の動作を制御する制御部２３と、前記第１計量部、前記第２計量部、前記反応部又は前記計測部の少なくともいずれか一つの処理部を撮像する撮像部７と、前記制御部から出力される前記第１計量部、前記第２計量部、前記反応部又は前記計測部の少なくともいずれか一つの処理状況を示す処理ステップ情報、及び、前記撮像部から出力される撮像情報を、時間情報とともに記録する記録部とを備える水質計測システム１。【選択図】図１
2015135275.tif 000002
【特許請求の範囲】
【請求項１】
測定対象検水を計量する第１計量部と、
試薬を計量する第２計量部と、
前記第１計量部で計量された測定対象検水及び前記第２計量部で計量された試薬を混合して反応させる反応部と、
前記反応部での反応結果に基づいて、前記測定対象検水に含まれる特定化学物質量を計測する計測部と、
前記第１計量部、前記第２計量部、前記反応部及び前記計測部の動作を制御する制御部と、
前記第１計量部、前記第２計量部、前記反応部又は前記計測部の少なくともいずれか一つの処理部を撮像する撮像部と、
前記制御部から出力される前記第１計量部、前記第２計量部、前記反応部又は前記計測部の少なくともいずれか一つの処理状況を示す処理ステップ情報、及び、前記撮像部から出力される撮像情報を、時間情報とともに記録する記録部とを備えることを特徴とする水質計測システム。
【請求項２】
前記記録部が記録した前記撮像情報を表示する映像再生手段をさらに備え、
前記映像再生手段は、表示する撮像情報と同じ時間情報を有する前記処理ステップ情報を、該撮像情報と共に表示することを特徴とする請求項１記載の水質計測システム。
【請求項３】
前記第１計量部、前記第２計量部、前記反応部又は前記計測部のいずれかの処理部の選択を受け付ける再生選択手段をさらに有し、
前記映像再生手段は、前記再生選択手段が選択を受け付けた処理部を撮像した撮像画像を表示することを特徴とする請求項２記載の水質計測システム。
【請求項４】
前記撮像部は、前記第１計量部、前記第２計量部、前記反応部又は前記計測部の少なくとも２以上の処理部を撮像することが可能な撮像可能画角を有し、
前記記録部は、前記撮像部が撮像した撮像情報のうち、前記処理ステップ情報に応じて異なる撮像範囲の撮像情報を記録することを特徴とする請求項１、２又は３記載の水質計測システム。
【請求項５】
前記撮像部が撮像した撮像情報は、前記第１計量部、前記第２計量部、前記反応部又は前記計測部の少なくとも２以上の処理部を含み、
前記映像再生手段は、表示する前記撮像情報の時間情報を有する前記処理ステップ情報に応じて、異なる撮像範囲の撮像情報を表示することを特徴とする請求項２又は３記載の水質計測システム。
【請求項６】
前記第１計量部、前記第２計量部、前記反応部及び前記計測部を収容する筐体と、前記筐体に設けられる開閉扉とを備え、
前記撮像部は、前記開閉扉に固定されることを特徴とする請求項１、２、３、４又は５記載の水質計測システム。
【発明の詳細な説明】
【技術分野】
【０００１】
本発明は、上下水道等の水質を計測する水質計測システムに関する。
【背景技術】
【０００２】
環境保全のために上下水道等の水質を計測する水質計測装置として、例えば特許文献１に記載されているものが挙げられる。この水質計測装置は上下水道等の水道施設に設置されて、測定対象検水の水質を計測するとともに、計測異常やシステム異常が発生するとその運転を停止して警告表示を行うものである。
【先行技術文献】
【特許文献】
【０００３】
【特許文献１】特開２００３−３０２３９２号公報
【発明の概要】
【発明が解決しようとする課題】
【０００４】
しかし、このような水質計測装置では、作業者の安全を確保するために水質測定装置が設置された場所とは異なるところで、作業者が水質計測装置の監視を行うことが一般的である。
【０００５】
そのため、水質計測装置の警告表示を受けてから作業者が水質計測装置を確認するまで時間がかかり、異常発生時の状態をリアルタイムで確認することができず、作業者が水質計測装置を確認するまでの間に既に異常が解消されているような場合には異常原因が不明のまま放置されてしまう。
【０００６】
異常原因が不明のまま放置されてしまうと、同じ原因で再度警報が発動する可能性があり、その度に水質計測装置の運転が停止されるので、安定的に水質計測を行うことができないという問題が生じる。この問題は、水質計測装置と水質計測装置を監視する監視装置とが遠隔にある場合、特に起こり易くなる。
【０００７】
本発明は上記問題に鑑み、異常原因を突き止めることができるとともに、作業者が現場に行かずとも異常原因を解明することができる水質計測システムを提供することを目的とする。
【課題を解決するための手段】
【０００８】
本発明の水質計測システムは、測定対象検水を計量する第１計量部と、試薬を計量する第２計量部と、前記第１計量部で計量された測定対象検水及び前記第２計量部で計量された試薬を混合して反応させる反応部と、前記反応部での反応結果に基づいて、前記測定対象検水に含まれる特定化学物質量を計測する計測部と、前記第１計量部、前記第２計量部、前記反応部及び前記計測部の動作を制御する制御部と、前記第１計量部、前記第２計量部、前記反応部又は前記計測部の少なくともいずれか一つの処理部を撮像する撮像部と、前記制御部から出力される前記第１計量部、前記第２計量部、前記反応部又は前記計測部の少なくともいずれか一つの処理状況を示す処理ステップ情報、及び、前記撮像部から出力される撮像情報を、時間情報とともに記録する記録部とを備えることを特徴とする。
【０００９】
このような構成であれば、異常発生時の時間情報を有する処理ステップ情報及び撮像情報を記録することができるので、この情報を確認すれば、異常が発生した処理部を特定することができるとともに異常の原因を突き止めることができる。そのため、異常原因が不明のまま放置されることを防ぐことができる。
また、処理ステップ情報及び撮像情報を外部機器でも確認できるように構成すれば、現場に行かずとも異常の原因を突き止めることができる。
【００１０】
また、本発明の水質計測システムが、前記記録部が記録した前記撮像情報を表示する映像再生手段をさらに備え、前記映像再生手段は、表示する撮像情報と同じ時間情報を有する前記処理ステップ情報を、該撮像情報と共に表示すれば、異常発生時の時間情報を有する撮像情報と処理ステップ情報とを共に表示することができ、より一層異常が発生した原因を突き止め易くなる。
【００１１】
さらに、前記第１計量部、前記第２計量部、前記反応部又は前記計測部のいずれかの処理部の選択を受け付ける再生選択手段をさらに有し、前記映像再生手段は、前記再生選択手段が選択を受け付けた処理部を撮像した撮像画像を表示すれば、使用者は、確認したい処理部の撮像情報を簡便に確認することができる。
また、異常発生時の時間情報を有する撮像情報及び処理ステップ情報ではその異常の原因が分からない場合、処理部毎に撮像情報を確認することで、全ての撮像情報を確認する場合に比べて体系的に異常の原因を突き止めることができる。
【００１２】
前記撮像部が、前記第１計量部、前記第２計量部、前記反応部又は前記計測部の少なくとも２以上の処理部を撮像することが可能な撮像可能画角を有し、前記記録部は、前記撮像部が撮像した撮像情報のうち、前記処理ステップ情報に応じて異なる撮像範囲の撮像情報を記録すれば、動作している処理部の撮像情報を拡大して記録することができるので、動作している処理部の撮像情報をより鮮明なものとして、アラームの原因を突き止め易くすることができる。
【００１３】
また、撮像情報をより鮮明なものとする別の構成としては、前記撮像部が撮像した撮像情報は、前記第１計量部、前記第２計量部、前記反応部又は前記計測部の少なくとも２以上の処理部を含み、前記映像再生手段は、表示する前記撮像情報の時間情報を有する前記処理ステップ情報に応じて、異なる撮像範囲の撮像情報を表示するものを挙げることができる。
この構成においても、映像再生手段が動作している処理部の撮像情報を拡大して表示することができるので、動作している処理部の撮像情報をより鮮明なものとして、アラームの原因を突き止め易くすることができる。
【００１４】
本発明の水質計測システムが、前記第１計量部、前記第２計量部、前記反応部及び前記計測部を収容する筐体と、前記筐体に設けられる開閉扉とを備え、前記撮像部は、前記開閉扉に固定されれば、使用者が開閉扉を開けてメンテナンスを行うメンテナンス時には、そのメンテナンスの様子を撮像部で撮像することができる。
【発明の効果】
【００１５】
本発明によれば、異常原因を突き止めることができるとともに、作業者が現場に行かずとも異常原因を解明することができる。
【図面の簡単な説明】
【００１６】
【図１】第１実施形態における水質計測システムを表す概略図。
【図２】第１実施形態における水質計測装置を表す概略図。
【図３】第１実施形態における処理部を表す概略図。
【図４】第１実施形態における管理画面の一例。
【図５】第１実施形態における管理画面の一例。
【図６】第１実施形態におけるダウンロード画面の一例。
【図７】第２実施形態における水質計測システムを詳細に表す概略図。
【発明を実施するための形態】
【００１７】
本発明の第１実施形態における水質計測システム１について、以下図面を参照しながら説明する。
【００１８】
第１実施形態における水質計測システム１は、例えば上下水道等の排水等の測定対象検水に含まれる特定化学物質量（本実施形態では、全窒素濃度及び全リン濃度）を測定するための全自動の水質計測システム１である。
【００１９】
そして、図１に示すように、上下水道等の水道施設に設置されて測定対象検水の全窒素濃度及び全リン濃度を測定する水質計測装置２と、水質計測装置２から送信された情報を記録する記録部４と、ネットワークに接続可能なところで記録部４に記録された情報を表示して水質計測装置２の監視を行う監視装置５とを備える。
【００２０】
＜水質計測装置２＞
水質計測装置２は、図２及び図３に示すように、測定対象検水に含まれる全窒素濃度や全リン濃度の測定を行うための処理部６と、処理部６を制御するための制御部３と、該処理部６を撮像するための撮像部７と、処理部６、制御部３及び撮像部７を収容する筐体８と、を備える。
【００２１】
（処理部６）
処理部６は、筐体８に収容されるとともに、図２及び図３に示すように、測定対象検水を計量する第１計量部１０と、試薬を計量する第２計量部１１と、第１計量部１０で計量された測定対象検水及び第２計量部１１で計量された試薬を混合して反応させる反応部１２と、反応部１２での反応結果に基づいて、測定対象検水に含まれる全窒素濃度及び全リン濃度を計測する計測部１３とを備える。
【００２２】
第１計量部１０は、測定対象検水を貯留するための試料用タンク１４と、測定対象検水を計量するためのセル管１５と、純水を貯留した純水タンク１６と、純水タンク１６から導入された純水を計量する純水管１７と、セル管１５で計量された測定対象検水を純水管１７で計量された純水で所定倍に希釈する希釈管１８とを備える。
【００２３】
セル管１５及び純水管１７には、管内の圧力を制御するポンプが設けられている。そして、このポンプで管内を負圧にして試料用タンク１４または純水タンク１６から測定対象検水または純水を管内に導入した後、管内を大気開放して、大気圧と釣り合う分量の測定対象検水または純水を管内に残留させて計量を行う。
【００２４】
第２計量部１１は、種類の異なる試薬がそれぞれ貯留された複数の試薬用タンク１９と、試薬を計量するための試薬計量管２０とを備える。
【００２５】
本実施形態では、測定される特定化学物質が窒素及びリンであるため、この試薬として、ペルオキソ二硫酸カリウム、塩酸溶液、モリブデン酸アルミニウム溶液、Ｌ−アスコルビン酸溶液等が用いられる。なお、試薬計量管２０で試薬を計量する方法は、上述した計量方法（段落番号［００２３］参照）と同じであるので、ここでは説明を省略する。
【００２６】
反応部１２は、第１計量部１０で計量された測定対象検水及び第２計量部１１で計量された試薬を混合して反応させるものであって、第１計量部１０で計量された測定対象検水に第２計量部１１で計量された試薬を混合する図示しない反応管と、反応管を加熱するための図示しない加熱手段と、反応管内の溶液のｐＨ値を測定するための図示しないｐＨ測定手段と、反応管内の溶液に光を照射するための図示しない光照射手段と、光照射手段から照射されて反応管内の溶液を透過した光の強度を検出する図示しない検出器とを備える。この検出器が検出した光の強度が反応部１２での反応結果となる。
【００２７】
なお、本実施形態では、ｐＨ測定手段としてガラス電極と比較電極の2本の電極を反応管内に挿入して、これら２つの電極の間に生じた電圧によりｐＨを測定するｐＨ測定計が用いられる。また、検出器としては、例えば反応管を透過した所定波長の光を光強度に応じて電気信号に変換する光電子増倍管（ＰＭＴ）が用いられる。
【００２８】
計測部１３は、全窒素濃度又は全リン濃度が既知の測定対象検水の吸光度を調べて吸光度及び濃度を軸にとった検量線を予め求めておいて、反応部１２の反応結果に基づいて全窒素濃度又は全リン濃度を計測する。
【００２９】
（制御部３）
制御部３は、処理部６を制御するためのものであって、構造的には、ＣＰＵ、内部メモリ、Ｉ／Ｏバッファ回路、ＡＤコンバータ等を有した所謂コンピュータ回路である。そして、内部メモリの所定領域に格納したプログラムに従って動作することで情報処理を行い、図１に示すように、制御本体部２３、異常検知部２５等としての機能を発揮する。
【００３０】
制御本体部２３は、第１計量部１０、第２計量部１１、反応部１２及び計測部１３の制御を行うものであり、制御の順番を予め決めておくシーケンス制御に沿って、第１計量部１０、第２計量部１１、反応部１２及び計測部１３の各処理部６での処理動作の制御を行うものである。
【００３１】
より具体的には、各処理部６の処理動作順に割り当てたシーケンス番号ごとに処理動作にかかる時間を予め決定しておいて、この処理動作にかかる時間を内蔵されたクロックでカウントし、該処理動作にかかる時間が経過すると次の処理動作に移るように処理部６をシーケンス制御するものである。
【００３２】
そして、所定のサンプリングタイムごとに処理動作をしている処理部６のシーケンス番号及びクロックから取得したそのときの時間情報を記録部４へと送信する。この制御本体部２３が割り当てたシーケンス番号が、請求項にいう各処理部６のいずれが処理動作中かを示す処理ステップ情報となる。
【００３３】
また、制御本体部２３は、計測部１３が計測した全窒素濃度及び全リン濃度の濃度情報を取得するとともに、内蔵されたクロックから濃度情報を取得した時間情報を得て、この濃度情報と時間情報とを記録部４へと送信する。
【００３４】
異常検知部２５は、計測部１３が測定した全窒素濃度又は全リン濃度の測定値が予め設定した閾値を超えているような場合や、処理部６に予め設けたセンサが反応しない場合等に水質計測装置２の異常を検知するものである。そして、制御本体部２３に異常信号を送信するとともに、内蔵されたクロックから異常発生時間情報を取得して記録部４に異常信号と異常発生時間情報とを送信する。
【００３５】
（撮像部７）
撮像部７であるデジタルカメラ７は、例えば静止画像又は動画を撮像するものであって、筐体８に固定された状態で、第１計量部１０、第２計量部１１、反応部１２及び計測部１３を含む処理部６全体を撮像可能な撮像範囲を有するものである。
【００３６】
このデジタルカメラ７は、所定のサンプリングタイムごとに処理部６の撮像を行うとともに、撮像を行った時間情報を取得して、この撮像情報及び時間情報を記録部４へと送信する。
【００３７】
（筐体８）
筐体８は、その内部に制御部３及び処理部６を収容するとともに一面が開口する収容本体８ａと、収容本体８ａの開口した一面を覆うように設けられ、デジタルカメラ７が固定された開閉扉８ｂとを有する。
【００３８】
＜記録部４＞
しかして記録部４は、ネットワークに接続されたサーバであって、制御部３及びデジタルカメラ７から送信された情報を記録するものである。なお、本実施形態においては、記録部４が水質計測装置２内に設けられているが、記録部４は、水質計測装置２の外部であってネットワーク上に設けられたものであってもよい。
【００３９】
具体的に記録部４は、制御本体部２３から送信された処理ステップ情報及び時間情報と、制御本体部２３から送信された濃度情報及び時間情報と、デジタルカメラ７から送信された撮像情報及び時間情報とを時系列的に次々と受信する。そして、撮像情報、処理ステップ情報及び濃度情報を時間情報とともに記録する。
【００４０】
また、異常検知部２５から送信された異常信号及び異常発生時間情報を受信すると、異常発生時間情報と同じ時間情報とともに記録された情報を抽出し、この情報に異常信号を関連付けて記録する。
【００４１】
そして、インターネット等のネットワークを通じて監視装置５と相互に通信可能に接続されると、監視装置５へ記録された情報を送信するとともに、監視装置５から送信された信号を受信して記録された情報の中から所定の情報を抽出し、該情報を監視装置５へ送信するものである。
【００４２】
＜監視装置５＞
監視装置５は、インターネット等のネットワークに接続可能な任意の場所でオペレータが水質計測装置２を監視するためのものであって、汎用のＰＣやタブレット端末等に所定のプログラムをインストールして構成され、物理的には、ＣＰＵ、メモリ、ディスプレイ、入力手段（キーボード、マウス、タッチパネル等）等を備えている。そして、監視装置５は、ネットワークを通じて記録部４と相互に通信可能に接続されると、図１に示すように、表示部２８、受付部２９等としての機能を発揮するように構成されている。
【００４３】
表示部２８は、記録部４から送信された時間情報、撮像情報、処理ステップ情報、濃度情報、及び、異常情報を例えばノートＰＣやタブレット端末等のディスプレイに表示するものである。この表示部２８が請求項でいう映像再生手段に該当する。
【００４４】
受付部２９は、オペレータが所定の入力手段を用いて入力した要求を受け付けて、この要求信号を記録部４へ送信するものである。
【００４５】
次に、本実施形態における水質計測システム１の管理動作について説明する。
【００４６】
＜通常動作時＞
オペレータは、例えばインターネットに接続されたＰＣに所定のＵＲＬを入力して、記録部４と監視装置５とをネットワークを介して通信可能に接続する。
【００４７】
記録部４と監視装置５とが相互に通信可能に接続されると、表示部２８の機能によって監視装置５のディスプレイには、図４に示すような画面（以下、管理画面Ａともいう）が表示される。
【００４８】
この管理画面Ａは、記録部４から送信された情報が表示されており、撮像情報を表示する撮像表示領域Ａ１と、時間情報を表示する日時表示領域Ａ２と、全窒素濃度及び全リン濃度の濃度情報を時間とともに表示する時系列表示領域Ａ３と、撮像表示領域Ａ１に表示された撮像情報と同じ時間情報を有する濃度情報及び処理ステップ情報（シーケンス番号）が表示されるサブ表示領域Ａ４とを備える。
【００４９】
オペレータは、管理画面Ａにおいて、撮像表示領域Ａ１に表示された画像の再生、停止、逆再生を行うことができる操作ボタンｉ１を操作して表示画像の確認を行う。
【００５０】
ここで、オペレータが後でもう一度確認したい画像がある場合、管理画面Ａに設けられたブックマークボタンｉ２をクリックする。
このブックマークボタンｉ２をクリックすると、図５に示すように、異常表示領域Ｂ１の一覧表示に欄Ｃ１が追加されるとともに、時系列表示領域Ａ３に画像Ｃ２が表示される。異常表示領域Ｂ１に追加された欄Ｃ１には、ブックマークボタンｉ２のクリック時に日時表示領域Ａ２に表示されていた情報が表示される。また、時系列表示領域Ａ３に表示された画像Ｃ２は、ブックマークボタンｉ２のクリック時に撮像表示領域Ａ１に表示されていた画像である。
【００５１】
また、図示しないが、オペレータが所定の領域を拡大して確認したい場合、シーケンス番号（処理ステップ情報）をプルダウンから選択して拡大ボタンをクリックすると、表示部２８が、撮像表示領域Ａ１が表示する撮像情報において、処理ステップ情報が示す処理動作中の処理部６を拡大して表示するように構成されている。
【００５２】
＜異常発生時＞
異常検知部２５が異常を検知すると、図４に示すように、管理画面Ａの異常表示領域Ｂ１にその異常発生時間及び処理ステップ情報が示す処理部６の名称が表示される。この表示は、異常検知部２５が異常を検知するたびに蓄積されて、異常表示領域Ｂ１に一覧表示される。
【００５３】
オペレータは、異常表示領域Ｂ１に一覧表示された異常発生時間及び処理部６の名称を確認することで、水質計測装置２に生じた異常原因を確認する。また、異常表示領域Ｂ１に表示されたブックマークアイコンｉ５をクリックすると、ブックマークが付された情報のみがこの一覧に表示され、注意喚起アイコンｉ６をクリックすると、異常検知部２５が異常を検知した情報のみがこの一覧に表示される。オールアイコンｉ４をクリックすると、ブックマークされた情報及び異常検知部２５が検知した情報の両方が一覧に表示される。
【００５４】
ここで、オペレータが、異常表示領域Ｂ１に表示された所望の異常発生時間における異常情報を確認したい場合、その異常発生時間が表示された欄をクリックする。すると、該異常発生時間とともに記録部４に記録された撮像画像、濃度情報、処理ステップ情報が抽出されて、表示部２８の撮像表示領域Ａ１、日時表示領域Ａ２、濃時系列表示領域Ａ３、及び、サブ表示領域Ａ４がこれらの情報に切り替えられる。
【００５５】
また、オペレータが管理画面Ａの異常発生時の撮像画像を確認しても異常が確認できない場合や、オペレータが特定の処理部６を確認したい場合、図示しない再生選択手段に特定のシーケンス番号（処理ステップ情報）を入力する。すると、この処理ステップ情報とともに記録部４に記録された時間情報、この時間情報とともに記録された撮像情報および濃度情報が抽出されて、これらの情報が所定領域に表示される。
【００５６】
また、オペレータが異常発生時の画像を保存したい場合、異常表示領域Ｂ１に設けられたダウンロードボタンｉ３をクリックする。オペレータがこのダウンロードボタンｉ３をクリックすると、ディスプレイ上の管理画面Ａが、図６に示すように、ダウンロード画面Ｅに切り替わる。
【００５７】
そして、オペレータが、図６に示すように、ダウンロード画面Ｅ上に表示された開始時間Ｅ１及び取得時間Ｅ２をプルダウンから選択してダウンロードボタンＥ３をクリックする。この開始時間及び取得時間に対応する情報が記録部４から抽出され、これらの情報はオペレータが指定する記録領域に保存される。
【００５８】
以上のように構成した第１実施形態の水質計測システム１によれば、以下のような効果を有する。
【００５９】
記録部４が、異常発生時の時間情報を有する処理ステップ情報及び撮像情報を記録するので、この情報を確認すれば、異常が発生した処理部６を特定することができるとともに異常の原因を突き止めることができる。そのため、異常原因が不明のまま放置されることを防ぐことができる。
また、処理ステップ情報及び撮像情報を監視装置５のディスプレイで確認できるので、現場に行かずとも異常の原因を突き止めることができる。
【００６０】
また、撮像表示領域Ａ１に表示される撮像情報に対応する時間情報を有する処理ステップ情報（シーケンス番号）がサブ表示領域Ａ４に表示されるので、ディスプレイの撮像画像とともに処置ステップ情報を確認することができ、より一層異常が発生した原因を突き止め易くなる。
【００６１】
さらに、再生選択手段を有し、再生選択手段で選択された処理ステップ情報に対応する撮像画像を撮像表示領域Ａ１に表示することができるので、使用者は、確認したい処理部６の撮像情報を簡便に確認することができる。
また、異常発生時の時間情報を有する撮像情報及び処理ステップ情報ではその異常の原因が分からない場合、処理部６毎に撮像情報を確認することで、全ての撮像情報を確認する場合に比べて体系的に異常の原因を突き止めることができる。
【００６２】
撮像部７が撮像した撮像情報は、第１計量部１０、第２計量部１１、反応部１２及び計測部１３を含み、表示部２７は、表示する撮像情報の時間情報を有する処理ステップ情報に応じて、異なる撮像範囲の撮像情報を表示するものであれば、表示部２７が動作している処理部６の撮像情報を拡大して表示することができるので、動作している処理部６の撮像情報をより鮮明なものとして、異常の原因を突き止め易くすることができる。
【００６３】
水質計測装置２が、第１計量部１０、第２計量部１１、反応部１２及び計測部１３を収容する筐体８と筐体８に設けられる開閉扉８ｂとを備え、撮像部７が開閉扉８ｂに固定されているので、使用者が開閉扉８ｂを開けてメンテナンスを行うメンテナンス時には、そのメンテナンスの様子を撮像部７で撮像することができる。
【００６４】
次に本発明の第２実施形態における水質計測システム３０について、図７を参照しながら説明する。
【００６５】
第２実施形態の水質計測システム３０は、図７に示すように、制御本体部５０及び撮像部５１であるデジタルカメラ５１の構成が第１実施形態と異なる。それ以外の部分は、第１実施形態と同じ構成であるため、同一の符号を付して説明を省略する。
【００６６】
第２実施形態における制御本体部５０は、異常検知部２５が異常信号を制御本体部５０に送ると、制御本体部５０が、その異常信号を受けた時点での処理ステップ情報をデジタルカメラ５１に送信する。
【００６７】
デジタルカメラ５１は、制御本体部５０から送信された処理ステップ情報が示す処理動作を行っている処理部６の撮像領域を特定し、この撮像領域を拡大して撮像を行う。そして、この撮像画像及び時間情報を記録部４へ送信する。
【００６８】
これにより、記録部４は、動作している処理部６を拡大した撮像情報を記録するので、動作している処理部６の撮像情報をより鮮明なものとして表示部２８で表示させることができ、異常の原因を突き止め易くすることができる。
【００６９】
なお、本発明は上記実施形態に限られたものではない。
【００７０】
本実施形態の水質計測システムでは、水質計測装置に吸光光度法を用いて全窒素濃度及び全リン濃度を測定するものを用いたが、例えば、滴定により過剰試薬量を求めてＣＯＤ（化学的酸素要求量）を計測するものであってもよい。
【００７１】
制御部のシーケンス制御は、例えば処理動作が終了すると、処理動作が終了した処理部が終了信号を制御本体部へ送信し、制御本体部は、この終了信号を受けて次の処理動作に移るように処理部を制御してもよい。
【００７２】
異常検知部から送信された異常信号が関連付けられた撮像情報が撮像表示領域に表示されるときに、表示部が、異常信号が関連付けられた処理ステップ情報が示す処理動作を行っている処理部の撮像画像を拡大して表示するように構成してもよい。
【００７３】
なお、記録部は予め設定された記録期間（例えば、２日、１週間、１ヶ月等）を経過すると、新しい撮像を上書きするように設定されていてもよい。
【００７４】
本発明は、その趣旨に反しない範囲で様々な変形が可能である。
【符号の説明】
【００７５】
１・・・水質計測システム
３・・・制御部
４・・・記録部
５・・・監視装置
７・・・撮像部
１０・・第１計量部
１１・・第２計量部
１２・・反応部
１３・・計測部
【図１】
2015135275.tif 000003
【図２】
2015135275.tif 000004
【図３】
2015135275.tif 000005
【図４】
2015135275.tif 000006
【図５】
2015135275.tif 000007
【図６】
2015135275.tif 000008
【図７】
2015135275.tif 000009